(57)【要約】【課題】  携帯電話を利用して簡便に最新の求人・求職情報を取得することができる求人・求職情報提供システムを提供する。【解決手段】  求人・求職に関した情報やこの求人・求職情報を提供するサイト５のＵＲＬ情報を含む二次元コード９を表示する１，２と、前記サイト５の求人・求職情報を保持するサーバ４と、前記コード表示手段１，２に近接したとき前記二次元コード９を抽出してそのデータを出力するコード抽出部を備え、このコード抽出部からの二次元コードデータをデコードして、そのうちのＵＲＬ情報によりインターネット上の該当サイト５に接続し、前記サーバ４から前記求人・求職情報を取得する機能を有した携帯電話３と、を具備してなる。【選択図】      図１
2006039785.tif 000002
【特許請求の範囲】
【請求項１】
求人・求職に関した情報やこの求人・求職情報を提供するサイトのＵＲＬ情報を含む二次元コードを表示するコード表示手段と、
前記サイトの求人・求職情報を保持するサーバと、
前記コード表示手段に近接したとき前記二次元コードを抽出してそのデータを出力するコード抽出部を備え、このコード抽出部からの二次元コードデータをデコードして、そのうちのＵＲＬ情報によりインターネット上の該当サイトに接続し、前記サーバから前記求人・求職情報を取得する機能を有した携帯電話と、を具備した求人・求職情報提供システム。
【請求項２】
前記コード表示手段が、前記インターネットに接続された情報処理装置の表示画面であることを特徴とする請求項１に記載の求人・求職情報提供システム。
【請求項３】
前記コード表示手段が、印刷物や広告物等の情報掲示媒体であることを特徴とする請求項１に記載の求人・求職情報提供システム。
【発明の詳細な説明】
【技術分野】
【０００１】
本発明は、二次元コードにサイトのＵＲＬ情報を表示して各種情報を提供する情報提供システムに係り、特に、携帯電話を利用して求人・求職情報を取得可能な求人・求職情報提供システムに関する。
【背景技術】
【０００２】
求人情報は、公的な職業紹介所で提供される他に、職業斡旋業者が新聞、求人・求職情報誌といった各種印刷物等に掲示している。
求職者がこれらの情報掲示媒体を見て求人先に連絡すると、面接を受ける等して就職の機会を得ることができる。
【発明の開示】
【発明が解決しようとする課題】
【０００３】
ところで、求職者が求人情報誌等を見て求人情報を得る従来の求人情報システムによると、詳細を知るには求人先に郵便や電話で連絡しなければならず、時間や手数を要していた。
また、公的な職業紹介所や企業の就職斡旋所は、その場所に出向く必要があるうえ、情報開示時間に制限もあるため、最新の情報を得難いという問題が残されていた。
【０００４】
そこで、本発明は、上記の問題に鑑みてなされたものであり、携帯電話を利用して簡便に最新の求人・求職情報を取得することができる求人・求職情報提供システムを提供することを目的としている。
【課題を解決するための手段】
【０００５】
上記目的を達成するため、本発明による求人・求職情報提供システムは、求人・求職に関した情報やこの求人・求職情報を提供するサイトのＵＲＬ情報を含む二次元コードを表示するコード表示手段と、前記サイトの求人・求職情報を保持するサーバと、前記コード表示手段に近接したとき前記二次元コードを抽出してそのデータを出力するコード抽出部を備え、このコード抽出部からの二次元コードデータをデコードして、そのうちのＵＲＬ情報によりインターネット上の該当サイトに接続し、前記サーバから前記求人・求職情報を取得する機能を有した携帯電話と、を具備してなる。
また、前記コード表示手段が、前記インターネットに接続された情報処理装置の表示画面であることを特徴としている。
また、前記コード表示手段が、印刷物や広告物等の情報掲示媒体であることを特徴としている。
【発明の効果】
【０００６】
以上説明したように、本発明による求人・求職情報提供システムは、コード表示手段に携帯電話のコード抽出部を接近させると、二次元コードが抽出されて、そのうちのＵＲＬ情報によりインターネット上の該当サイトに接続し、サーバから求人・求職情報を取得可能となっているので、いつでもどこからでも簡便に最新の求人・求職情報を閲覧したり応募したりできるなど就職活動に役立てることができる効果がある。
また、前記コード表示手段がインターネットに接続された情報処理装置の表示画面であるから、例えば、パソコン等の画面に携帯電話のコード抽出部を接近させるだけで容易に二次元コードを抽出し、そのうちのＵＲＬ情報により求人・求職情報を閲覧・取得することができ、応募することができる利点がある。
また、前記コード表示手段が、印刷物や広告物等の情報掲示媒体であるから、これらに掲示された二次元コードに携帯電話のコード抽出部を接近させるだけで容易に二次元コードを抽出し、そのうちのＵＲＬ情報により求人・求職情報を取得することができる利点がある。
【発明を実施するための最良の形態】
【０００７】
以下、本発明に係る求人・求職情報提供システムの実施形態について、図面を参照しながら詳述する。
図１は、本発明の一実施形態である求人・求職情報提供システムの概要構成を示す説明図である。
この求人・求職情報提供システムは、通信ネットワーク７を介してサーバ４に接続されるパソコン１およびパソコン６と、通信ネットワーク８を介してサイト５に接続される携帯電話３により構成され、パソコン１や求人・求職情報誌２等に二次元コード９を表示して、これを携帯電話３で抽出することにより、“ｈｔｔｐ：／／”で始まるＵＲＬ情報を用いて該当サイト５にアクセスし、サーバ４から所望の求人・求職情報を取得可能となっている。
【０００８】
二次元コード９は、通称、QRコードとして知られており、従来周知のバーコードが一次元バーコードと称されて、横方向のみに情報を表示するのに対し、縦方向と横方向とに情報を表示している。
この二次元コード９は、図２に示すように、切り出しシンボル９ａ、セル９ｂおよびデータ領域９ｃを有している。切り出しシンボル９ａは、全方向からの読み取り可能とするものである。また、データ領域９ｃには、かな、漢字、英字、数字さらに短い文章がコード化されている。
本例の二次元コード９には、求人・求職に関した情報やその求人・求職情報を提供する求人・求職先のＵＲＬ情報をコード化している。
この二次元コード９は、インターネットを通じてパソコン６からパソコン１に配信される。また、求人・求職情報誌２、新聞といった各種印刷物に印刷されたり、シールに印刷されて広告物等に貼付掲示される。
【０００９】
携帯電話３は、電話機能およびパケット通信機能を有する普及型であって、上面に液晶画面３ａやキー入力部３ｂを配設し、裏面にカメラを設けている。
このカメラは、図示省略した光電変換部やデコード部とともにコード抽出部を構成し、二次元コード９を撮像すると、その撮像情報をデコード部に送出する。このデコード部は、二次元コード９のイメージデータをデコードし、ＵＲＬ情報を特定して制御部に送出する。
この制御部は、ＵＲＬ情報を受け取ると、メモリに記憶させてＵＲＬを液晶画面３ａに表示させる。また、キー入力部３ｂの操作に応じてブックマークに追加記憶させる。
さらに、キー操作により当該ＵＲＬへの送信操作があると、入出力部を動作させてインターネットの該当サイト５に接続させる。
また、この接続後、サーバ４から求人・求職情報が送出されてくると、液晶画面３ａに詳細情報を表示させる構成となっている。
【００１０】
なお、カメラに変えて二次元コード９を読み取るコードリーダを用いてもよい。このコードリーダは、図示省略しているがスキャナであって、接続端子を備えており、携帯電話３の外部接続端子に接続して使用するようになっている。
このコードリーダは、前記二次元コード９をスキャンして読み取ると、その読取情報からＵＲＬ情報を特定して制御部に送出する。
これにより、カメラと同じくインターネットの該当サイト５に接続し、そこから送出されてくる求人・求職情報を液晶画面３ａに表示することができるものである。
【００１１】
サーバ４は、データベース４ａにインターネットを介して求人・求職先のパソコン６から送出されてきた二次元コード９のイメージデータや当該求人・求職先の求人・求職情報を保持している。なお、データベース４ａには、前記二次元コード９からＵＲＬ情報を抽出して登録してある。
そして、インターネットを介してパソコン１からアクセスがあると、イメージデータを配信しその液晶画面３ａに二次元コード９を表示させるようになっている。
また、携帯電話３からＵＲＬ情報のサイト５にアクセスがあると、このサイト５の求人・求職情報を配信する構成になっている。
【００１２】
次に、上記求人・求職情報提供システムの動作について説明する。
まず、求人・求職情報の提供者（求人先企業・求職者等）は、ＵＲＬ情報や求人・求職情報を含む二次元コード９を生成し、そのイメージデータをパソコン６でサーバ４側に送出する。
このサーバ４は、イメージデータが入力するとＵＲＬ情報を抽出して登録しておき、これに対応させてデータベース４ａに求人・求職情報を保持する。
また、求人・求職情報の提供者は、前記二次元コード９を求人・求職情報誌２（図１参照）や新聞等の各種印刷物に印刷しておく。
さらに、二次元コード９をシールに印刷し、電車やバス中の吊り広告、その他各種広告物に貼付してもよい。
これにより、求人・求職情報提供者のＵＲＬ情報が二次元コード９で社会に広く知られる。
【００１３】
この二次元コード９の存在を知った求職者は、携帯電話３により就職活動を行う。
求職者がパソコン１を使用する場合、検索エンジンを利用して、求人・求職情報を検索すると、画面１ａに検索結果が表示される。
この検索結果の中から、求人・求職欄の何れかを選択すると、その求人・求職先の詳細情報が表示される。
この詳細情報には、二次元コード９が含まれており、図１に示す如く画面１ａに表示される。
【００１４】
求職者が、図３に示すように、携帯電話３のカメラで二次元コード９を撮像すると、その撮像情報１０が液晶画面３ａに表示される（図３、図４参照）。
この状態でキー入力により送信操作を行うと、図５にＵＲＬ１１の一例を示す如く“ｈｔｔｐ：／／ｗｗｗ．○○○○○○○○．ｃｏ．ｊｐ”が表示され、直ぐに該当サイト５への接続動作も開始される。
このサイト５に接続されると、サーバ４は、当該ＵＲＬ情報の登録先の求人・求職情報を携帯電話３側に配信する。
この携帯電話３は、求人・求職情報を受けると、図６に示すように、液晶画面３ａに求人先企業名１２やメニューリスト１３を表示させる。
求職者は、メニューリスト１３から任意の項目を選択すると、詳細な求人・求職情報を取得することができ応募することもできる。
なお、この求人・求職情報は、常に更新することにより、求職者に対し最新の情報を提供することができる。
【図面の簡単な説明】
【００１５】
【図１】本発明の一実施形態である求人・求職情報提供システムの概要構成を示す説明図である。
【図２】二次元コードを示すイメージ図である。
【図３】二次元コードを携帯電話で撮像する状態を示す斜視図である。
【図４】携帯電話の画面に表示された二次元コードの撮像図である。
【図５】携帯電話の画面に表示されたＵＲＬの例示図である。
【図６】携帯電話の画面に表示された求人・求職情報の例示図である。
【符号の説明】
【００１６】
１    コード表示手段（情報処理装置）
２    コード表示手段（求人・求職情報誌）
３    携帯電話
４    サーバ
５    サイト
９    二次元コード
【図１】
2006039785.tif 000003
【図２】
2006039785.tif 000004
【図３】
2006039785.tif 000005
【図４】
2006039785.tif 000006
【図５】
2006039785.tif 000007
【図６】
2006039785.tif 000008